(57)【要約】【課題】冷房運転や暖房運転のどちらを行う場合であっても居住者の空気温熱環境を改善し、無駄なエネルギの消費を抑えることができる天井埋込型空気調和機を得る。【解決手段】天井埋込型空気調和機は、天井内に埋設される空気調和機本体１０と、空気調和機本体１０に接続して室内空気を吸込む図示しない吸込口と、吸込口から得られた室内空気を空気調和機本体１０によって熱交換し、この熱交換された空気を吹出す吹出口１２と、吹出口１２から吹出される空気を異なる方向に送風するために、吹出口１２の吹出し方向を変更可能な駆動機構１４と、を備えている。そして、吹出口１２は、駆動機構１４によって冷房運転の時には下方向にその吹出し口を向けることができ、暖房運転の時には上方向にその吹出し口を向けることができるようになっている。【選択図】図２
2005345033.tif 000002
【特許請求の範囲】
【請求項１】
天井内に埋設される空気調和機本体と、
前記空気調和機本体に接続して室内空気を吸込む吸込口と、
前記吸込口から得られた室内空気を前記空気調和機本体によって熱交換し、この熱交換された空気を吹出す吹出口と、
前記吹出口から吹出される空気を異なる方向に送風するために、前記吹出口の吹出し方向を変更可能な駆動機構と、
を備え、
前記駆動機構は、
冷房運転を行うときには前記空気調和機本体の設置階に対して前記吹出口の吹出し方向を設定し、
暖房運転を行うときには前記空気調和機本体の設置階の上階に対して前記吹出口の吹出し方向を設定することを特徴とする天井埋込型空気調和機。
【請求項２】
請求項１に記載の天井埋込型空気調和機において、
前記空気調和機本体の動作指令信号を発信可能なリモコン装置と、
前記リモコン装置の動作指令信号を受信するために前記空気調和機本体に設置される受光部と、
を備え、
前記駆動機構は、前記受光部が受信する動作指令信号に基づいて前記吹出口の吹出し方向を設定することを特徴とする天井埋込型空気調和機。
【請求項３】
請求項１又は２に記載の天井埋込型空気調和機において、
前記吹出口の空気吹出し経路上にはファイアダンパが設置されており、
かかるファイアダンパは、前記空気調和機本体の運転と連動して開閉可能であることを特徴とする天井埋込型空気調和機。
【発明の詳細な説明】
【技術分野】
【０００１】
本発明は、天井埋込型空気調和機に係り、特に、冷房運転を行うときと、暖房運転を行うときとで吹出口の吹出し方向を変更するようにした天井埋込型空気調和機に関するものである。
【背景技術】
【０００２】
従来の天井埋込型空気調和機では、空調対象となるスペースに対して１台の空気調和機を設置するのが一般的である。そして、この天井埋込型空気調和機を冷房運転するときには、図４に示すように、天井側から吹く冷気は自然対流するので、部屋全体を比較的均一に空気調和することが可能である。
【０００３】
なお、従来の天井埋込型空気調和機に関する技術として、以下のようなものがある（下記特許文献１〜１０参照）。
【０００４】
【特許文献１】特開２００３−２６９７７６号公報
【特許文献２】特開平１０−１９７０４６号公報
【特許文献３】特開２００２−１３９２３２号公報
【特許文献４】特開２００３−３２２３５６号公報
【特許文献５】特開２００１−２４８８８８号公報
【特許文献６】特開２０００−３３７６６２号公報
【特許文献７】特開平１０−２８１５３３号公報
【特許文献８】特開２００２−２４３２０４号公報
【特許文献９】特開平０７−３１０９４３号公報
【特許文献１０】特開平０６−３０７７０６号公報
【発明の開示】
【発明が解決しようとする課題】
【０００５】
しかしながら、従来の天井埋込型空気調和機を用いて暖房運転を行う場合には、図５に示すように、暖かい空気は対流がほとんど起きないので、部屋の上部に熱気が溜まってしまい、部屋の下部は暖まらないという問題が発生する。この様な状況の中で部屋を暖めるためには、風量を強めるか温度設定を高くすることが考えられる。しかし、このような運転を行ったのでは、居住者の頭部付近の温度が上昇するとともに足元は冷えたままという事態が発生するので、室内の空気温熱環境が悪化して居住者に不快感を与えることになってしまう。また、このような運転では、無駄なエネルギを消費することになるので、運転コストが増大してしまうことにもなる。
【０００６】
本発明は、以上のような課題を解決するために成されたものであって、その目的は、冷房運転や暖房運転のどちらを行う場合であっても居住者の空気温熱環境を改善可能であるとともに、無駄なエネルギの消費を抑えることができる天井埋込型空気調和機を提供することにある。
【課題を解決するための手段】
【０００７】
本発明に係る天井埋込型空気調和機は、天井内に埋設される空気調和機本体と、前記空気調和機本体に接続して室内空気を吸込む吸込口と、前記吸込口から得られた室内空気を前記空気調和機本体によって熱交換し、この熱交換された空気を吹出す吹出口と、前記吹出口から吹出される空気を異なる方向に送風するために、前記吹出口の吹出し方向を変更可能な駆動機構と、を備え、前記駆動機構は、冷房運転を行うときには前記空気調和機本体の設置階に対して前記吹出口の吹出し方向を設定し、暖房運転を行うときには前記空気調和機本体の設置階の上階に対して前記吹出口の吹出し方向を設定することを特徴とする。
【０００８】
また、本発明に係る天井埋込型空気調和機は、前記空気調和機本体の動作指令信号を発信可能なリモコン装置と、前記リモコン装置の動作指令信号を受信するために前記空気調和機本体に設置される受光部と、をさらに備えており、前記駆動機構が、前記受光部の受信する動作指令信号に基づいて前記吹出口の吹出し方向を設定することができるように構成することが可能である。
【０００９】
さらに、本発明に係る天井埋込型空気調和機において、前記吹出口の空気吹出し経路上にはファイアダンパが設置されており、かかるファイアダンパは、前記空気調和機本体の運転と連動して開閉可能であることとすることができる。
【発明の効果】
【００１０】
本発明によれば、冷房運転や暖房運転のどちらを行う場合であっても居住者の空気温熱環境を改善可能であるとともに、無駄なエネルギの消費を抑えることができる。
【発明を実施するための最良の形態】
【００１１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１２】
図１は、本実施形態に係る天井埋込型空気調和機が設置される建物の簡易立面図であり、各階の天井裏スペースに空気調和機本体１０が埋設されている様子を表している。また、図２および図３は、図１における（Ａ−Ａ）断面を示す図であり、特に、本実施形態に係る天井埋込型空気調和機の吹出口１２周辺を示す要部概略図である。なお、図２は冷房運転時の様子を示しており、図３は暖房運転時の様子を示すものである。
【００１３】
なお、以下の実施形態に係る説明では、本実施形態に係る天井埋込型空気調和機が２階フロアの天井裏スペースに設置されている場合を示している。
【００１４】
本実施形態に係る天井埋込型空気調和機は、天井内に埋設される空気調和機本体１０と、空気調和機本体１０に接続して室内空気を吸込む図示しない吸込口と、吸込口から得られた室内空気を空気調和機本体１０によって熱交換し、この熱交換された空気を吹出す吹出口１２と、吹出口１２から吹出される空気を異なる方向に送風するために、吹出口１２の吹出し方向を変更可能な駆動機構１４と、を備えている。
【００１５】
図２および図３において詳細に示される吹出口１２は、駆動機構１４によって下（２階天井）方向と上（３階床）方向にその吹出し口を向けることができるようになっている。また、吹出口１２が下（２階天井）方向を向いたときの２階天井部分には、水滴等進入防止のために設けられるガラリ１６が設置されている。一方、吹出口１２が上（３階床）方向を向いたときの３階床部分には、床スラブ１８を貫通して排気ダクト２０が設置されており、その排気ダクト２０出側には２階天井部分と同様のガラリ１６が設置されている。
【００１６】
また、排気ダクト２０の中間部分にはファイアダンパ２２が設置されており、このファイアダンパ２２は、空気調和機本体１０の運転と連動して開閉可能となっている。
【００１７】
さらに、本実施形態に係る天井埋込型空気調和機には、空気調和機本体１０の動作指令信号を発信可能なリモコン装置２４と、リモコン装置２４が発信した動作指令信号を受信するために空気調和機本体１０に設置される受光部２６と、を備えている。
【００１８】
以上のように構成されている本実施形態に係る天井埋込型空気調和機の動作方法について説明する。
【００１９】
［冷房運転の場合］
まず、ビル管理者である操作者がリモコン装置２４を操作して「冷房運転」を指示すると、受光部２６がリモコン装置２４の発信した動作指令信号を受信する。
【００２０】
次に、動作指令信号を受信した受光部２６は、空気調和機本体１０に対して冷房運転を指示するとともに、駆動機構１４を動作させることによって吹出口１２を下（２階天井）方向に向ける。このような状態で天井埋込型空気調和機が冷房運転されることにより、２階フロアは快適な冷房環境を得ることができる。
【００２１】
［暖房運転の場合］
まず、ビル管理者である操作者がリモコン装置２４を操作して「暖房運転」を指示すると、受光部２６がリモコン装置２４の発信した動作指令信号を受信する。
【００２２】
次に、動作指令信号を受信した受光部２６は、空気調和機本体１０に対して暖房運転を指示するとともに、駆動機構１４を動作させることによって吹出口１２を上（３階床）方向に向ける。また、吹出口１２が上（３階床）方向に向けられるのと連動してファイアダンパ２２が開放される。このような状態で天井埋込型空気調和機が暖房運転されることにより、３階フロアは快適な暖房環境を得ることができる。
【００２３】
なお、運転を停止する場合には、リモコン装置２４を用いて受光部２６に対して「運転停止」の動作指令信号を送信すれば良く、受光部２６が「運転停止」の動作指令信号を受信することによって空気調和機本体１０は運転を停止し、さらに、この停止動作と連動してファイアダンパ２２の閉鎖動作が行われることになる。
【００２４】
以上の説明からも明らかな通り、本実施形態に係る天井埋込型空気調和機によれば、冷房運転や暖房運転のどちらを行う場合であっても居住者の空気温熱環境を改善することができる。また、無駄なエネルギの消費を抑えることも可能である。
【００２５】
以上、本発明の好適な実施形態について説明したが、本発明の技術的範囲は上記実施形態に記載の範囲には限定されない。
【００２６】
すなわち、本実施形態では、ビル管理者である操作者が２階フロアから１つの天井埋込型空気調和機を操作する場合を例示して説明したが、例えば、各階に操作者が存在し、冷房運転の時にはその操作者からみて天井側に設置されている方の空気調和機を運転し、暖房運転の時にはその操作者からみて床面側に設置されている方の空気調和機を運転するようにしても良い。一般的に、同一ビル内において、ある階は冷房運転をし、ある階は暖房運転をするということは考えられないので、このような運転方法も可能である。
【００２７】
したがって、上記実施形態には、多様な変更又は改良を加えることが可能である。その様な変更又は改良を加えた形態も本発明の技術的範囲に含まれ得ることが、特許請求の範囲の記載から明らかである。
【図面の簡単な説明】
【００２８】
【図１】本実施形態に係る天井埋込型空気調和機が設置される建物の簡易立面図であり、各階の天井裏スペースに空気調和機本体が埋設されている様子を表している。
【図２】図１における（Ａ−Ａ）断面を示す図であり、特に、本実施形態に係る天井埋込型空気調和機の冷房運転時における吹出口周辺を示す要部概略図である。
【図３】図１における（Ａ−Ａ）断面を示す図であり、特に、本実施形態に係る天井埋込型空気調和機の暖房運転時における吹出口周辺を示す要部概略図である。
【図４】従来の天井埋込型空気調和機を冷房運転した場合における室内の空気温熱環境を示す図である。
【図５】従来の天井埋込型空気調和機を暖房運転した場合における室内の空気温熱環境を示す図である。
【符号の説明】
【００２９】
１０  空気調和機本体、１２  吹出口、１４  駆動機構、１６  ガラリ、１８  床スラブ、２０  排気ダクト、２２  ファイアダンパ、２４  リモコン装置、２６  受光部。
【図１】
2005345033.tif 000003
【図２】
2005345033.tif 000004
【図３】
2005345033.tif 000005
【図４】
2005345033.tif 000006
【図５】
2005345033.tif 000007